(57)【要約】【課題】気体から水分を取り除く除湿能力を向上させる除湿装置を提供する。【解決手段】ペルチエ効果素子２と、ペルチエ効果素子２の下面に設けられペルチエ効果素子２により気体を冷却するようにした吸熱体３と、吸熱体３に気体を供給する供給管６と、吸熱体３より気体を需要先へ送給する送気管７とを備え、吸熱体３は、供給管６及び送気管７に接続する上側吸熱体部１１と、上側吸熱体部１１から分離して内部を露出させるよう上側吸熱体部１１に着脱可能な下側吸熱体部１２とを備えると共に、吸熱体３の内壁面１２ａに気体を遠心力で衝突させるよう気体に旋回力を与える誘導フィン１８と、気体を濾過して需要先に排出するよう吸熱体３の内部中央に配置されたフィルタ２０と、吸熱体３の内部で分離された水を外部へ排出するドレイン２２とを備える。【選択図】        図１
2004337694.tif 000002
【特許請求の範囲】
【請求項１】
ペルチエ効果素子と、該ペルチエ効果素子の下面に設けられ該ペルチエ効果素子により気体を冷却するようにした吸熱体と、該吸熱体に気体を供給する供給管と、前記吸熱体より気体を需要先へ送給する送気管とを備え、前記吸熱体は、供給管及び送気管に接続する上側吸熱体部と、該上側吸熱体部から分離して内部を露出させるよう上側吸熱体部に着脱可能な下側吸熱体部とを備えると共に、吸熱体の内壁面に気体を遠心力で衝突させるよう気体に旋回力を与える誘導フィンと、気体を濾過して需要先に排出するよう吸熱体の内部中央に配置されたフィルタと、吸熱体の内部で分離された水を外部へ排出するドレインとを備えたことを特徴とする除湿装置。
【請求項２】
ペルチエ効果素子と、該ペルチエ効果素子の下面に設けられ該ペルチエ効果素子により気体を冷却するようにした吸熱体と、前記ペルチエ効果素子の上面に設けられペルチエ効果素子により気体を加熱するようにした放熱体と、気体を吸熱体より放熱体へ送給する連絡管とを備え、
前記吸熱体は、吸熱体の内壁面に気体を遠心力で衝突させるよう気体に旋回力を与える誘導フィンと、気体を濾過して送気管に排出するよう吸熱体の内部中央に配置されたフィルタと、吸熱体の内部で分離された水を外部へ排出するドレインとを備え、
前記放熱体は、前記ペルチエ効果素子からの熱を放熱するよう、ペルチエ効果素子の上面に接合され且つ内部に気体流通路が形成された放熱部と、該放熱部の上方に配置された放熱フィン板とを備えたことを特徴とする除湿装置。
【請求項３】
ペルチエ効果素子と、該ペルチエ効果素子の下面に設けられ該ペルチエ効果素子により気体を冷却するようにした吸熱体と、前記ペルチエ効果素子の上面に設けられペルチエ効果素子により気体を加熱するようにした放熱体と、気体を吸熱体より放熱体へ送給する連絡管とを備え、
前記吸熱体は、吸熱体の内壁面に気体を遠心力で衝突させるよう気体に旋回力を与える誘導フィンと、気体を濾過して送気管に排出するよう吸熱体の内部中央に配置されたフィルタと、気体の流路に配置される金属ウール接触手段と、吸熱体の内部で分離された水を外部へ排出するドレインとを備え、
前記放熱体は、前記ペルチエ効果素子からの熱を放熱するよう、ペルチエ効果素子の上面に接合され且つ内部に気体流通路が形成された放熱部と、該放熱部の上方に配置された放熱フィン板とを備えたことを特徴とする除湿装置。
【請求項４】
吸熱体の内部を旋回する気体を旋回方向で衝突させるよう吸熱体の内壁面に衝突部を備えた請求項１、２又は３記載の除湿装置。
【発明の詳細な説明】
【０００１】
【発明の属する技術分野】
本発明はエアーやガス等の気体から水分を取り除く除湿装置に関するものである。
【０００２】
【従来の技術】
一般にエアーやガス等の気体を使用する際には、水分を除くことが求められており、気体ラインの中途位置には除湿装置を備えている。
【０００３】
除湿装置の一例は、ガスの除湿装置に半導体素子のペルチエ効果素子を備えたものが提案されている（例えば特許文献１参照。）。このような除湿装置は、一般にペルチエ効果素子の吸熱面に吸熱流路を設けることにより、ガスを冷却して水蒸気を凝縮させ、除湿したガスを供給先に送給すると共に、分離した水を外部へ排除している。
【０００４】
又、ペルチエ効果素子を備えた除湿装置の他の例は、ペルチエ効果素子の下面に吸熱体を配置すると共に上面に放熱体を配置したものがある（例えば特許文献２参照）。このような除湿装置は、エアーを吸熱体で冷却して水蒸気を凝縮させ、除湿したガスを放熱体に送給し、更に、除湿したエアーを放熱体で加熱し、所定の温度に戻して供給先に送給している。
【０００５】
【特許文献１】
特開２００１−１５３８５７号公報
【特許文献２】
特許第３３３１０３９号
【０００６】
【発明が解決しようとする課題】
しかしながら、近年、従来の除湿装置を使用した場合に比べて、ガスやエアー等の気体から更に水分を取り除くよう、除湿能力を向上させることが求められている。又、分離した水を容易に外部へ排出することが求められている。
【０００７】
本発明は上述の実情に鑑みてなしたもので、気体から水分を取り除く除湿能力を向上させる除湿装置を提供することを目的としている。
【０００８】
【課題を解決するための手段】
本発明の請求項１は、ペルチエ効果素子と、該ペルチエ効果素子の下面に設けられ該ペルチエ効果素子により気体を冷却するようにした吸熱体と、該吸熱体に気体を供給する供給管と、前記吸熱体より気体を需要先へ送給する送気管とを備え、
前記吸熱体は、供給管及び送気管に接続する上側吸熱体部と、該上側吸熱体部から分離して内部を露出させるよう上側吸熱体部に着脱可能な下側吸熱体部とを備えると共に、吸熱体の内壁面に気体を遠心力で衝突させるよう気体に旋回力を与える誘導フィンと、気体を濾過して需要先に排出するよう吸熱体の内部中央に配置されたフィルタと、吸熱体の内部で分離された水を外部へ排出するドレインとを備えたことを特徴とする除湿装置、に係るものである。
【０００９】
本発明の請求項２は、ペルチエ効果素子と、該ペルチエ効果素子の下面に設けられ該ペルチエ効果素子により気体を冷却するようにした吸熱体と、前記ペルチエ効果素子の上面に設けられペルチエ効果素子により気体を加熱するようにした放熱体と、気体を吸熱体より放熱体へ送給する連絡管とを備え、
前記吸熱体は、吸熱体の内壁面に気体を遠心力で衝突させるよう気体に旋回力を与える誘導フィンと、気体を濾過して送気管に排出するよう吸熱体の内部中央に配置されたフィルタと、吸熱体の内部で分離された水を外部へ排出するドレインとを備え、
前記放熱体は、前記ペルチエ効果素子からの熱を放熱するよう、ペルチエ効果素子の上面に接合され且つ内部に気体流通路が形成された放熱部と、該放熱部の上方に配置された放熱フィン板とを備えたことを特徴とする除湿装置、に係るものである。
【００１０】
本発明の請求項３は、ペルチエ効果素子と、該ペルチエ効果素子の下面に設けられ該ペルチエ効果素子により気体を冷却するようにした吸熱体と、前記ペルチエ効果素子の上面に設けられペルチエ効果素子により気体を加熱するようにした放熱体と、気体を吸熱体より放熱体へ送給する連絡管とを備え、
前記吸熱体は、吸熱体の内壁面に気体を遠心力で衝突させるよう気体に旋回力を与える誘導フィンと、気体を濾過して送気管に排出するよう吸熱体の内部中央に配置されたフィルタと、気体の流路に配置される金属ウール接触手段と、吸熱体の内部で分離された水を外部へ排出するドレインとを備え、
前記放熱体は、前記ペルチエ効果素子からの熱を放熱するよう、ペルチエ効果素子の上面に接合され且つ内部に気体流通路が形成された放熱部と、該放熱部の上方に配置された放熱フィン板とを備えたことを特徴とする除湿装置、に係るものである。
【００１１】
本発明の請求項４は、吸熱体の内部を旋回する気体を旋回方向で衝突させるよう吸熱体の内壁面に衝突部を備えた請求項１、２又は３記載の除湿装置、に係るものである。
【００１２】
このように、請求項１によれば、気体をペルチエ効果素子により吸熱体で冷却して水蒸気を凝縮させると共に、誘導フィンにより気体に旋回力を与えて気体を吸熱体の内壁面に遠心力で衝突させるので、水蒸気を内壁面に容易に付着させて気体から水分を取り除き、結果的に除湿能力を向上させることができる。又、分離した水をドレインにより容易に外部へ排出することができると共に、気体中のゴミをフィルタにより簡単に取り除くことができる。更に、上側吸熱体部を供給管及び送気管に接続した状態で、下側吸熱体部を上側吸熱体部から分離し得るので、吸熱体の内部壁面が汚れた際には、吸熱体をまるごと取り外す必要がなく、内部を露出させて容易に清掃することができる。
【００１３】
請求項２によれば、気体をペルチエ効果素子により吸熱体で冷却して水蒸気を凝縮させると共に、誘導フィンにより気体に旋回力を与えて気体を吸熱体の内壁面に遠心力で衝突させるので、水蒸気を内壁面に容易に付着させて気体から水分を取り除き、結果的に除湿能力を向上させることができる。又、分離した水をドレインにより容易に外部へ排出することができると共に、気体中のゴミをフィルタにより簡単に取り除くことができる。更に、冷却された気体を放熱部の気体流通路に通すと共に放熱フィン板により空冷するので、放熱体の冷却効果を高めてペルチエ効果素子の能力を一層向上させることができる。
【００１４】
請求項３によれば、気体をペルチエ効果素子により吸熱体で冷却して水蒸気を凝縮させると共に、誘導フィンにより気体に旋回力を与えて気体を吸熱体の内壁面に遠心力で衝突させるので、水蒸気を内壁面に容易に付着させて気体から水分を取り除き、結果的に除湿能力を向上させることができる。又、分離した水をドレインにより容易に外部へ排出することができると共に、気体中のゴミをフィルタにより簡単に取り除くことができる。更に、冷却された気体を放熱部の気体流通路に通すと共に放熱フィン板により空冷するので、放熱体の冷却効果を高めてペルチエ効果素子の能力を一層向上させることができる。更に又、気体の流路に配置された金属ウール接触手段に、気体の水蒸気を接触させるので、気体から水分を一層取り除くことができる。
【００１５】
請求項４に示す如く、吸熱体の内部を旋回する気体を旋回方向で衝突させるよう吸熱体の内壁面に衝突部を備えると、気体を衝突部に真正面で衝突させるので、水蒸気を衝突部に確実に付着させて気体から水分を取り除き、結果的に除湿能力を一層向上させることができる。
【００１６】
【発明の実施の形態】
以下本発明の実施の形態を図面を参照しつつ説明する。
【００１７】
図１〜図５は本発明を実施する形態の第一例を示すものである。
【００１８】
第一例の除湿装置１は、平板状のペルチエ効果素子２と、ペルチエ効果素子２の下面に配置された吸熱体３と、ペルチエ効果素子２の上面に配置された放熱フィン板４と、放熱フィン板４の上方に配置された空冷ファン５と、ガスやエアー等の気体を吸熱体３へ供給する供給管６と、ガスやエアー等の気体を吸熱体３から需要先へ送給する送気管７と、吸熱体３の外周を覆う断熱体８とを備えている。
【００１９】
吸熱体３は、供給管６を接続し得るよう一側部に供給口９を備えると共に送気管７を接続し得るよう他側部に排出口１０を備える上側吸熱体部１１と、上側吸熱体部１１に締結手段を介して着脱可能な下側吸熱体部１２とを備えている。ここで、締結手段は、上側吸熱体部１１に形成された係合溝１３と、係合溝１３に螺合するよう下側吸熱体部１２に形成された係合突起１４と、係合溝１３と係合突起１４の間に配置されるＯリング１５とから構成されている。又、上側吸熱体部１１及び下側吸熱体部１２の材質は、ペルチエ効果素子２との熱交換を容易に為しえるよう熱伝導率の高い銅やアルミ等の金属で構成されている。
【００２０】
吸熱体３の上側吸熱体部１１は、供給口９から内部下方へ向かう導入流路１６を形成すると共に、内部中央から上方側部の排出口１０へ向かう排出流路１７を形成しており、内部中央の排出流路１７には、周方向に沿って複数の羽根を備えた誘導フィン１８を配置し、誘導フィン１８の下部には、排出流路１７の入口となるよう、支持部材１９を介して掛止される筒状のフィルタ２０を配置している。
【００２１】
吸熱体３の下側吸熱体部１２は、筒状の内壁面１２ａを形成して下部に逆円錐体を配した内部空間を配しており、内壁面１２ａには、誘導フィン１８やフィルタ２０より下方に位置して径方向に延在する突起状の衝突部２１を備え、下側吸熱体部１２の最下部には、逆円錐体の先端に位置するようドレイン２２を配置している。ここで、ドレイン２２は、図２、図３に示す如く、手動で開閉する手動ドレイン２２ａと、図４、図５に示す如く、内部の水量によって開閉する自動ドレイン２２ｂとがある。
【００２２】
手動ドレイン２２ａは、下側吸熱体部１２の下端に取り付けられるドレイン外周部２３と、ドレイン外周部２３に螺合するドレインコック２４とを備えており、ドレインコック２４は、下端に把持部２５を形成すると共に上部にドレイン外周部２３へ接触可能なＯリング２６を配置し、内部に排水流路２７を形成している。このような下側吸熱体部１２の下部に水が溜まった際には、ドレインコック２４を一方向へ回転してＯリング２６をドレイン外周部２３から離間させることにより排水流路２７を開いて水を外部へ排出している。逆に下側吸熱体部１２の下部から水を排出した際には、ドレインコック２４を他方向へ回転してＯリング２６をドレイン外周部２３に接触させることにより排水流路２７を閉じている。
【００２３】
自動ドレイン２２ｂは、下側吸熱体部１２の下端に取り付けられるドレイン外周部２８と、水量に応じて作動するピストン部２９とを備えており、ドレイン外周部２８は、上端にＯリング３０を備えると共に内部に排水流路３１を形成しており、ピストン部２９は、下側吸熱体部１２に固定されたケース体３２にスプリング３３を介して収納されており、ケース体３２の外周には水量によって上下動するフロート３４を配置している。ここで、ピストン部２９は、下部に空気を溜め得るよう空気室（図示せず）を備え、ケース体３２は、上端に内部へ空気を流通させる空気穴３５を形成し、フロート３４は、上部に、フロート３４の上下動に伴ってケース部の空気穴を塞ぎ得る開閉部材３６を備えている。このような下側吸熱体部１２の下部に水が所定量以上で溜まった際には、フロート３４が浮いて開閉部材３６によりケース体３２の空気穴３５を開き、ケース体３２内に空気を導入させてピストン部２９を押し出し、ドレイン外周部２８のＯリング３０との接触を解除して水を排水流路３１から外部へ排出している。逆に下側吸熱体部１２の下部に水が所定量以下になった際には、フロート３４が沈んで開閉部材３６によりケース体３２の空気穴３５を塞ぎ、ケース体３２内の空気をブリード穴（図示せず）より排出すると共に、ピストン部２９の空間室（図示せず）の空気により、ピストン部２９を上方に戻し、Ｏリング３０と接触させて排水流路３１を塞いでいる。
【００２４】
一方、吸熱体３の外周を覆う断熱体８は、分割可能な上側吸熱体部１１及び下側吸熱体部１２に対応し得るよう上側部３７と下側部３８に分けて構成されている。ここで、断熱体８は、発泡材のような材質で断熱してもよいし、真空空間を配置して真空断熱するものでもよい。
【００２５】
以下、本発明を実施する形態の第一例の作用を説明する。
【００２６】
エアーやガス等の気体を除湿する際には、気体を供給管６を介して吸熱体３内に供給し、ペルチエ効果素子２で冷却された吸熱体３により冷却して水蒸気を凝縮させると共に、同時に誘導フィン１８により気体に旋回力を与えて気体を吸熱体３の内壁面１２ａに遠心力で衝突させ、更に、衝突部２１により気体を真正面で衝突させる。吸熱体３の内壁面１２ａ及び衝突部２１に衝突した気体は、吸熱体３の内壁面１２ａ及び衝突部２１に水蒸気を付着させて旋回流の中心に流れ、除湿した気体をフィルタ２０を介して送気管７に排出される。
【００２７】
このように、第一例によれば、気体をペルチエ効果素子２により吸熱体３で冷却して水蒸気を凝縮させると共に、誘導フィン１８により気体に旋回力を与えて気体を吸熱体３の内壁面１２ａに遠心力で衝突させるので、水蒸気を内壁面１２ａに容易に付着させて気体から水分を取り除き、結果的に除湿能力を向上させることができる。又、上側吸熱体部１１及び下側吸熱体部１２の材質は、熱伝導率の高い金属で構成されるので、ペルチエ効果素子２による冷却を効率良く行うことができる。更に、断熱体８を備えているので、ペルチエ効果素子２により冷却された吸熱体３の熱を逃がすことなく、ペルチエ効果素子２による冷却を一層効率良く行うことができる。更に又、ペルチエ効果素子２の上方に放熱フィン板４及び空冷ファン５を備えるので、ペルチエ効果素子２の熱交換を効率的に行うことができる。
【００２８】
吸熱体３で分離した水をドレイン２２により外部へ排出するので、吸熱体３の水を外部へ容易に排出することができる。ここで、手動ドレイン２２ａを用いた際には、安価に構成することができ、自動ドレイン２２ｂを用いた際には、容易且つ確実に水を排出することができる。又、吸熱体３の中央部にフィルタ２０を備えるので、気体中のゴミを簡単に取り除くことができる。
【００２９】
上側吸熱体部１１を供給管６及び送気管７に接続した状態で、締結手段により下側吸熱体部１２を上側吸熱体部１１から分離し得るので、吸熱体３の内部壁面が汚れた際には、吸熱体３をまるごと取り外す必要がなく、内部を露出させて容易に清掃することができる。又、気体がガスであって化学物質が内部壁面に吸着する場合でも、吸着した化学物質を清掃により取り除き得るので、吸着した化学物質の影響を防ぐことができる。ここで、断熱体８は、上側部３７と下側部３８に分けて構成されるので、吸熱体３の上側吸熱体部１１と下側吸熱体部１２を分離する作業に影響を与えることがない。
【００３０】
吸熱体３の内部を旋回する気体を旋回方向で衝突させるよう吸熱体３の内壁面１２ａに衝突部２１を備えると、気体を衝突部２１に真正面で衝突させるので、水蒸気を衝突部２１に確実に付着させて気体から水分を取り除き、結果的に除湿能力を一層向上させることができる。
【００３１】
図６は本発明を実施する形態の第二例を示すものであり、第一例と同一の符号を付した部分は同一物を表わしている。
【００３２】
第二例の除湿装置４０は、平板状のペルチエ効果素子２と、ペルチエ効果素子２の下面に配置された吸熱体３と、ペルチエ効果素子２の上面に設けられた放熱体４１と、ガスやエアー等の気体を吸熱体３へ供給する供給管６と、ガスやエアー等の気体を吸熱体３から放熱体４１へ送給する連絡管４２と、放熱体４１から需要先へ送給する送気管４３と、吸熱体３の外周を覆う断熱体８とを備えている。
【００３３】
吸熱体３は、第一例と略同様に、供給管６を接続し得るよう一側部に供給口９を備えると共に連絡管４２を接続し得るよう他側部に接続口４４を備える上側吸熱体部１１と、上側吸熱体部１１に締結手段を介して着脱可能な下側吸熱体部１２とを備えている。ここで、締結手段、及び上側吸熱体部１１及び下側吸熱体部１２の材質は、第一例と略同じである。
【００３４】
又、吸熱体３の上側吸熱体部１１及び下側吸熱体部１２は、内部構造を、第一例と略同様に構成しており、下側吸熱体部１２に配置されるドレイン２２も、第一例と略同様に、手動で開閉する手動ドレイン２２ａでもよいし、内部の水量によって開閉する自動ドレイン２２ｂでもよい。
【００３５】
吸熱体３の外周を覆う断熱体８は、分割可能な上側吸熱体部１１及び下側吸熱体部１２に対応し得るよう上側部３７と下側部３８に分けて構成されている。ここで、断熱体８は、発泡材のような材質で断熱してもよいし、真空空間を配置して真空断熱するものでもよい。
【００３６】
一方、放熱体４１は、ペルチエ効果素子２の上面に接合された放熱部４５と、放熱部４５の上面に配置された放熱フィン板４６と、放熱フィン板４６の上方に配置された空冷ファン４７とを備え、放熱部４５は、内部に気体流通路４８を形成し、連絡管４２を接続し得るよう一側部に接続口４９を備えると共に送気管４３を接続し得るよう他側部に排出口５０を備えている。
【００３７】
以下、本発明を実施する形態の第二例の作用を説明する。
【００３８】
エアーやガス等の気体を除湿する際には、気体を供給管６を介して吸熱体３内に供給し、ペルチエ効果素子２で冷却された吸熱体３により冷却して水蒸気を凝縮させると共に、同時に誘導フィン１８により気体に旋回力を与えて気体を吸熱体３の内壁面１２ａに遠心力で衝突させ、更に、衝突部２１により気体を真正面で衝突させる。吸熱体３の内壁面１２ａ及び衝突部２１に衝突した気体は、吸熱体３の内壁面１２ａ及び衝突部２１に水蒸気を付着させて旋回流の中心に流れ、除湿した気体はフィルタ２０を介して連絡管４２より放熱部４５に送給され、放熱部４５に送給された気体は、放熱体４１で加熱されて所定の温度に戻り、供給管６より需要先に送給される。
【００３９】
このように、第二例によれば、気体をペルチエ効果素子２により吸熱体３で冷却して水蒸気を凝縮させると共に、誘導フィン１８により気体に旋回力を与えて気体を吸熱体３の内壁面１２ａに遠心力で衝突させるので、水蒸気を内壁面１２ａに容易に付着させて気体から水分を取り除き、結果的に除湿能力を向上させることができる等、第一例と略同様な作用効果を得ることができる。又、冷却された気体を放熱部４５の気体流通路４８に通すと共に放熱フィン板４６により空冷するので、放熱体４１の冷却効果を高めてペルチエ効果素子２の能力を一層向上させることができる。
【００４０】
図７は本発明を実施する形態の第三例を示すものであり、第一例と同一の符号を付した部分は同一物を表わしている。
【００４１】
第三例の除湿装置５１は、平板状のペルチエ効果素子２と、ペルチエ効果素子２の下面に配置された吸熱体５２と、ペルチエ効果素子２の上面に設けられた放熱体４１と、ガスやエアー等の気体を吸熱体５２へ供給する供給管６と、ガスやエアー等の気体を吸熱体５２から放熱体４１へ送給する連絡管４２と、放熱体４１から需要先へ送給する送気管４３と、吸熱体５２の外周を覆う断熱体８とを備えている。
【００４２】
吸熱体５２は、第一例と略同様に、供給管６を接続し得るよう一側部に供給口９を備えると共に連絡管４２を接続し得るよう他側部に接続口４４を備える上側吸熱体部５３と、上側吸熱体部５３に締結手段を介して着脱可能な下側吸熱体部５４とを備えている。ここで、締結手段、及び上側吸熱体部５３及び下側吸熱体部５４の材質は、第一例と略同じである。
【００４３】
吸熱体５２の上側吸熱体部５３は、供給口９から内部下方へ向かう導入流路１６を形成すると共に、内部中央から上方側部の排出口１０へ向かう排出流路１７を形成しており、内部中央の排出流路１７には、周方向に沿って複数の羽根を備えた誘導フィン１８を配置し、誘導フィン１８の下部には、排出流路１７の入口となるよう、円盤状の衝突部５５を介して掛止される筒状のフィルタ２０を配置している。又、導入流路１６の方向変更地点（流路の屈曲部）には、誘導フィン１８の上部に位置するようステンレスウール等の金属ウール接触手段５６が充填されると共に、排出流路１７の方向変更地点（流路の屈曲部）には、上面に位置するようステンレスウール等の金属ウール接触手段５７が充填されており、夫々、金属網５８により支持されている。ここで、衝突部５５は、筒状のフィルタ２０を掛止する掛止手段であると共に、フィルタ２０の口径より大きく且つ誘導フィン１８の径より小さく形成されている。
【００４４】
吸熱体５２の下側吸熱体部５４は、筒状の内壁面５４ａを形成して下部に逆円錐体を配した内部空間を配しており、下側吸熱体部５４の最下部には、逆円錐体の先端に位置するようドレイン２２を配置している。ここで、ドレイン２２は、第一例と略同様に、手動で開閉する手動ドレイン２２ａでもよいし、内部の水量によって開閉する自動ドレイン２２ｂでもよい。
【００４５】
吸熱体５２の外周を覆う断熱体８は、分割可能な上側吸熱体部５３及び下側吸熱体部５４に対応し得るよう上側部３７と下側部３８に分けて構成されている。ここで、断熱体８は、発泡材のような材質で断熱してもよいし、真空空間を配置して真空断熱するものでもよい。
【００４６】
一方、放熱体４１は、ペルチエ効果素子２の上面に接合された放熱部４５と、放熱部４５の上面に配置された放熱フィン板４６と、放熱フィン板４６の上方に配置された空冷ファン４７とを備え、放熱部４５は、内部に気体流通路４８を形成し、連絡管４２を接続し得るよう一側部に接続口を備えると共に送気管４３を接続し得るよう他側部に排出口１０を備えている。
【００４７】
以下、本発明を実施する形態の第三例の作用を説明する。
【００４８】
エアーやガス等の気体を除湿する際には、気体を供給管６を介して吸熱体５２内に供給し、ペルチエ効果素子２で冷却された吸熱体５２により冷却して水蒸気を凝縮させると共に、同時に誘導フィン１８により気体に旋回力を与えて気体を吸熱体５２の内壁面５４ａに遠心力で衝突させ、更に、衝突部５５により気体を真正面で衝突させる。吸熱体５２の内壁面５４ａ及び衝突部５５に衝突した気体は、吸熱体５２の内壁面５４ａ及び衝突部５５に水蒸気を付着させて旋回流の中心に流れ、除湿した気体はフィルタ２０を介して連絡管４２より放熱部４５に送給され、放熱部４５に送給された気体は、放熱体４１で加熱されて所定の温度に戻り、供給管６より需要先に送給される。ここで、吸熱体５２に導入された気体は、導入流路１６に充填されたステンレスウール等の金属ウール接触手段５６に接触し、予備的に水蒸気を付着させている。又、気体を内壁面５４ａ及び衝突部５５に衝突させた後に気体中の水蒸気を取り残した際には、気体が、排出流路１７に充填されたステンレスウール等の金属ウール接触手段５７に接触し、完全に水蒸気を取り除いている。
【００４９】
このように、第三例によれば、気体をペルチエ効果素子２により吸熱体５２で冷却して水蒸気を凝縮させると共に、誘導フィン１８により気体に旋回力を与えて気体を吸熱体５２の内壁面５４ａに遠心力で衝突させるので、水蒸気を内壁面５４ａに容易に付着させて気体から水分を取り除き、結果的に除湿能力を向上させることができる等、第一例と略同様な作用効果を得ることができる。又、冷却された気体を放熱部４５の気体流通路４８に通すと共に放熱フィン板４６により空冷するので、放熱体４１の冷却効果を高めてペルチエ効果素子２の能力を一層向上させることができる。更に、気体の流路に配置されたステンレスウール等の金属ウール接触手段５６，５７に、気体の水蒸気を接触させるので、気体から水分を一層取り除くことができる。
【００５０】
尚、本発明の除湿装置は、上述の形態例にのみ限定されるものではなく、誘導フィンは気体に旋回力を与えるならば形状は限定されるものではないこと、衝突部は気体を旋回方向で衝突させるなら他の形状でもよいこと、その他、本発明の要旨を逸脱しない範囲内において種々変更を加え得ることは勿論である。
【００５１】
【発明の効果】
上記した本発明の除湿装置によれば、下記の如き、種々の優れた効果を奏し得る。
【００５２】
Ｉ）請求項１によれば、気体をペルチエ効果素子により吸熱体で冷却して水蒸気を凝縮すると共に、誘導フィンにより気体に旋回力を与えて気体を吸熱体の内壁面に遠心力で衝突させるので、水蒸気を内壁面に容易に付着させて気体から水分を取り除き、結果的に除湿能力を向上させることができる。又、分離した水をドレインにより容易に外部へ排出することができると共に、気体中のゴミをフィルタにより簡単に取り除くことができる。更に、上側吸熱体部を供給管及び送気管に接続した状態で、下側吸熱体部を上側吸熱体部から分離し得るので、吸熱体の内部壁面が汚れた際には、吸熱体をまるごと取り外す必要がなく、内部を露出させて容易に清掃することができる。
【００５３】
ＩＩ）請求項２によれば、気体をペルチエ効果素子により吸熱体で冷却して水蒸気を凝縮すると共に、誘導フィンにより気体に旋回力を与えて気体を吸熱体の内壁面に遠心力で衝突させるので、水蒸気を内壁面に容易に付着させて気体から水分を取り除き、結果的に除湿能力を向上させることができる。又、分離した水をドレインにより容易に外部へ排出することができると共に、気体中のゴミをフィルタにより簡単に取り除くことができる。更に、冷却された気体を放熱部の気体流通路に通すと共に放熱フィン板により空冷するので、放熱体の冷却効果を高めてペルチエ効果素子の能力を一層向上させることができる。
【００５４】
ＩＩＩ）請求項３によれば、気体をペルチエ効果素子により吸熱体で冷却して水蒸気を凝縮すると共に、誘導フィンにより気体に旋回力を与えて気体を吸熱体の内壁面に遠心力で衝突させるので、水蒸気を内壁面に容易に付着させて気体から水分を取り除き、結果的に除湿能力を向上させることができる。又、分離した水をドレインにより容易に外部へ排出することができると共に、気体中のゴミをフィルタにより簡単に取り除くことができる。更に、冷却された気体を放熱部の気体流通路に通すと共に放熱フィン板により空冷するので、放熱体の冷却効果を高めてペルチエ効果素子の能力を一層向上させることができる。更に又、気体の流路に配置された金属ウール接触手段に、気体の水蒸気を接触させるので、気体から水分を一層取り除くことができる。
【００５５】
ＩＶ）請求項４に示す如く、吸熱体の内部を旋回する気体を旋回方向で衝突させるよう吸熱体の内壁面に衝突部を備えると、気体を衝突部に真正面で衝突させるので、水蒸気を衝突部に確実に付着させて気体から水分を取り除き、結果的に除湿能力を一層向上させることができる。
【図面の簡単な説明】
【図１】本発明を実施する形態の第一例の除湿装置を示す概略図である。
【図２】ドレインの一例であって排水流路を閉じた状態を示す概略図である。
【図３】ドレインの一例であって排水流路を開いた状態を示す概略図である。
【図４】ドレインの他例であって排水流路を閉じた状態を示す概略図である。
【図５】ドレインの他例であって排水流路を開いた状態を示す概略図である。
【図６】本発明を実施する形態の第二例の除湿装置を示す概略図である。
【図７】本発明を実施する形態の第三例の除湿装置を示す概略図である。
【符号の説明】
２      ペルチエ効果素子
３      吸熱体
８      断熱体
１２ａ  内壁面
１８      誘導フィン
２０      フィルタ
２１      衝突部
２２      ドレイン
４１      放熱体
４５      放熱部
４６      放熱フィン板
５２      吸熱体
５４ａ  内壁面
５５      衝突部
５６      金属ウール接触手段
５７      金属ウール接触手段
【図１】
2004337694.tif 000003
【図２】
2004337694.tif 000004
【図３】
2004337694.tif 000005
【図４】
2004337694.tif 000006
【図５】
2004337694.tif 000007
【図６】
2004337694.tif 000008
【図７】
2004337694.tif 000009